(57)【要約】【課題】簡単な操作で適切に人体を加熱できる人体加熱装置を提供する。【解決手段】人体加熱装置１０は人体の対象部位を加熱する１または複数のヒータ４０の温度を制御する制御部２３を備える。制御部２３はヒータ４０により加熱される前の対象部位の温度に応じて、ヒータ４０が動作する時間に対するヒータ４０の温度を規定する制御情報を選択し、制御情報に従ってヒータ４０の温度を制御する。【選択図】図４
2020014698.tif 000002
【特許請求の範囲】
【請求項１】
人体の対象部位を加熱する１または複数のヒータの温度を制御する制御部を備える人体加熱装置であって、
前記制御部は前記ヒータにより加熱される前の前記対象部位の温度に応じて、前記ヒータが動作する時間に対する前記ヒータの温度を規定する制御情報を選択し、前記制御情報に従って前記ヒータの温度を制御する
人体加熱装置。
【請求項２】
前記制御部は前記複数のヒータの温度を制御する
請求項１に記載の人体加熱装置。
【請求項３】
前記制御情報では前記ヒータが動作する時間の経過にともない微分係数が小さくなる
請求項１または２に記載の人体加熱装置。
【請求項４】
前記複数のヒータは第１ヒータ群および第２ヒータ群を含み、
前記制御部は前記第１ヒータ群を制御する場合と前記第２ヒータ群を制御する場合とでは異なる前記制御情報を選択する
請求項１〜３のいずれか一項に記載の人体加熱装置。
【請求項５】
前記ヒータをさらに備える
請求項１〜４のいずれか一項に記載の人体加熱装置。
【請求項６】
前記ヒータの温度を測定するヒータ温度センサをさらに備える
請求項５に記載の人体加熱装置。
【請求項７】
前記対象部位の面積に占める前記ヒータの出力面の面積の割合は所定値以下に設定される
請求項５または６に記載の人体加熱装置。
【請求項８】
前記対象部位の温度を測定する皮膚温度センサをさらに備える
請求項１〜７のいずれか一項に記載の人体加熱装置。
【請求項９】
前記ヒータと前記皮膚温度センサとの間に設けられる断熱部材をさらに備える
請求項５〜７のいずれか一項を引用する請求項８に記載の人体加熱装置。
【請求項１０】
前記制御情報を記憶する記憶部をさらに備える
請求項１〜９のいずれか一項に記載の人体加熱装置。
【発明の詳細な説明】
【技術分野】
【０００１】
本発明はヒータにより人体を加熱する人体加熱装置に関する。
【背景技術】
【０００２】
人体を加熱する人体加熱装置が知られている。人体加熱装置は例えば人体の美容、治療、または、健康増進のために用いられる。特許文献１、２は従来の人体加熱装置の一例を開示している。特許文献１の経穴温度刺激治療装置は経穴およびその周辺領域の温度が目標温度に保たれるようヒータにより人体を加熱する。特許文献２の加熱治療装置は病変した生体組織の温度が目標温度に保たれるよう電磁波により人体を加熱する。
【先行技術文献】
【特許文献】
【０００３】
【特許文献１】特開２００９−２１９７９９号公報
【特許文献２】特開２００５−２８７６７２号公報
【発明の概要】
【発明が解決しようとする課題】
【０００４】
人体加熱装置の好ましい使用方法では、人体加熱装置を用いた人体の加熱が一定期間毎に継続的に実施される。人体加熱装置の継続的な使用をユーザに促すための手段の１つとして、人体加熱装置の使用に関するユーザの負担を軽減することが挙げられる。
本願発明の目的は簡単な操作で適切に人体を加熱できる人体加熱装置を提供することである。
【課題を解決するための手段】
【０００５】
本発明に関する人体加熱装置は人体の対象部位を加熱する１または複数のヒータの温度を制御する制御部を備える人体加熱装置であって、前記制御部は前記ヒータにより加熱される前の前記対象部位の温度に応じて、前記ヒータが動作する時間に対する前記ヒータの温度を規定する制御情報を選択し、前記制御情報に従って前記ヒータの温度を制御する。
【発明の効果】
【０００６】
本発明に関する人体加熱装置によれば、簡単な操作で適切に人体を加熱できる。
【図面の簡単な説明】
【０００７】
【図１】実施の形態１の人体加熱装置の使用状態の一例を示す図。
【図２】図１の人体加熱装置を上側から視た斜視図。
【図３】図１の人体加熱装置を下側から視た斜視図。
【図４】図１の人体加熱装置のブロック図。
【図５】第１温度制御に用いられる第１制御情報の一例を示す図。
【図６】第１温度制御のフローチャート。
【図７】実施の形態２の第２温度制御に用いられる第２制御情報の一例を示す図。
【図８】第２制御情報の一例を示す図。
【図９】第２制御情報の一例を示す図。
【図１０】第２温度制御のフローチャート。
【発明を実施するための形態】
【０００８】
(人体加熱装置が取り得る形態の一例)
本発明に関する人体加熱装置の一例では、人体の対象部位を加熱する１または複数のヒータの温度を制御する制御部を備える人体加熱装置であって、前記制御部は前記ヒータにより加熱される前の前記対象部位の温度に応じて、前記ヒータが動作する時間に対する前記ヒータの温度を規定する制御情報を選択し、前記制御情報に従って前記ヒータの温度を制御する。
上記人体加熱装置によれば、対象部位を加熱するために１または複数のヒータをどのように動作させるかが、ヒータに加熱される前の対象部位の温度に応じて自動的に決められる。ユーザがヒータの温度を調節するための操作を行う必要がなく、ユーザの負担が軽くなる。人体が加熱された場合にそれにともない人が覚える快および不快の感覚は、ヒータに加熱される前の対象部位の温度と相関を有する。上記人体加熱装置では、ヒータが動作する時間に対するヒータの温度を規定する制御情報がヒータにより加熱される前の対象部位の温度に応じて選択されるため、ヒータにより人体の対象部位が加熱される場合にユーザが不快感を覚えにくい。このように、上記人体加熱装置は簡易な操作で人体を適切に加熱できる。
【０００９】
前記人体加熱装置の一例では、前記制御部は前記複数のヒータの温度を制御する。
このため、広い対象部位を適切に加熱できる。
【００１０】
前記人体加熱装置の一例では、前記制御情報では前記ヒータが動作する時間の経過にともない微分係数が小さくなる。
対象部位の温度が高くなるにつれてヒータから人体に移動する熱量が少なくなるため、ユーザが不快感を覚えにくい。
【００１１】
前記人体加熱装置の一例では、前記複数のヒータは第１ヒータ群および第２ヒータ群を含み、前記制御部は前記第１ヒータ群を制御する場合と前記第２ヒータ群を制御する場合とでは異なる前記制御情報を選択する。
このため、複数のヒータの温度を多様に制御できる。
【００１２】
前記人体加熱装置の一例では、前記ヒータをさらに備える。
１つの人体加熱装置に制御部およびヒータが含まれるため、利便性が高い。
【００１３】
前記人体加熱装置の一例では、前記ヒータの温度を測定するヒータ温度センサをさらに備える。
１つの人体加熱装置に制御部およびヒータ温度センサが含まれるため、利便性が高い。
【００１４】
前記人体加熱装置の一例では、前記対象部位の面積に占める前記ヒータの出力面の面積の割合は所定値以下に設定される。
人体が加熱された場合にそれにともない人が覚える快および不快の感覚は上記割合と相関を有する。上記割合が所定値以下である場合、ユーザが不快感を覚えにくい。
【００１５】
前記人体加熱装置の一例では、前記対象部位の温度を測定する皮膚温度センサをさらに備える。
１つの人体加熱装置に制御部および皮膚温度センサが含まれるため、利便性が高い。
【００１６】
前記人体加熱装置の一例では、前記ヒータと前記皮膚温度センサとの間に設けられる断熱部材をさらに備える。
ヒータから皮膚温度センサへの熱の移動が断熱部材により妨げられるため、皮膚温度センサにより対象部位の温度が正確に測定される。
【００１７】
前記人体加熱装置の一例では、前記制御情報を記憶する記憶部をさらに備える。
制御部は外部ネットワークの影響を受けることなく制御情報を選択できる。
【００１８】
(実施の形態１)
図１に示されるように、人体加熱装置１０は人体Ｂの対象部位の加熱に用いられる。加熱の目的の一例は美容、治療、および、健康増進である。人体加熱装置１０を用いた美容とは、例えば人体Ｂの対象部位を加熱することにより脂肪細胞の不活性化を促進し、脂肪細胞の増加を抑えることである。人体加熱装置１０を用いた治療とは、例えば人体Ｂの対象部位を加熱することにより病変した生体組織のたんぱく質を凝固させることである。人体加熱装置１０を用いた健康増進とは、例えば人体Ｂの対象部位を加熱することによる体温上昇に伴う免疫力の向上である。人体加熱装置１０により加熱される人体Ｂの対象部位は加熱の目的に応じて決められる。
【００１９】
図示される人体加熱装置１０は体幹内に存在する脂肪細胞の不活性化を促進するために体幹の加熱に適合するように構成される。人体加熱装置１０により加熱される人体Ｂの対象部位は主に腹部または背中である。人体加熱装置１０を使用するユーザの姿勢は例えば仰臥位または伏臥位である。人体加熱装置１０を構成する主な要素は本体２０およびベルト５０である。本体２０は人体Ｂの対象部位を加熱する機能を備える。ベルト５０は本体２０が人体Ｂに接触した状態を維持できるように本体２０に取り付けられる。本体２０とベルト５０との結合に関する構成は任意に設定できる。第１例では、ベルト５０は本体２０に固定される。この例では、ユーザにより本体２０とベルト５０とを任意に分離できないように本体２０とベルト５０とが結合される。第２例では、ベルト５０は本体２０に対して着脱できる。この例では、ユーザの操作によりベルト５０が本体２０に結合された状態、および、ベルト５０が本体２０から分離した状態を選択できるように本体２０とベルト５０とを結合する結合構造(図示略)が設けられる。結合構造の一例はフック、面ファスナー、および、ねじである。
【００２０】
図２は仰臥位のユーザに装着された本体２０を上側から視た斜視図である。本体２０は人体Ｂに装着できるように構成される。本体２０が人体Ｂに装着された状態は、本体２０により人体Ｂの対象部位を適切に加熱できるように対象部位上に本体２０が配置された状態、または、対象部位に対する本体２０の位置が固定手段により固定された状態を含む。固定手段の一例はベルト、バンド、および、粘着性を有するパッドである。人体Ｂに装着するための本体２０の構成は好ましくは人体加熱装置１０による加熱の対象部位に応じて決められる。
【００２１】
本体２０を構成する主な要素はハウジング３０および１または複数のヒータ４０である。一例では、図３に示されるように本体２０は複数のヒータ４０を備える。ヒータ４０はハウジング３０に設けられる。第１例では、１または複数のヒータ４０はハウジング３０に固定される。第２例では、１または複数のヒータ４０はハウジング３０に対して着脱可能である。着脱のための手段の一例はねじ、フック、および、磁石である。
【００２２】
図４に示されるように、人体加熱装置１０は操作部２１、電源部２２、制御部２３、記憶部２４、カウンタ部２５、ヒータ温度センサ２６、および、皮膚温度センサ２７をさらに備える。以下の説明では、人体加熱装置１０を構成する操作部２１、電源部２２、制御部２３、記憶部２４、カウンタ部２５、ヒータ温度センサ２６、および、皮膚温度センサ２７を総称して操作部２１等と称する場合がある。
【００２３】
操作部２１等に関する人体加熱装置１０の構成は任意に選択できる。一例では、本体２０は操作部２１等のうちの少なくとも１つを備える。図示される例では、本体２０は操作部２１等の全部を備える。具体的には、操作部２１、電源部２２、制御部２３、記憶部２４、ヒータ温度センサ２６、および、皮膚温度センサ２７はハウジング３０に設けられる。操作部２１等のうちの少なくとも１つの要素が本体２０とは別に設けられる例では、本体２０とは別の要素は有線通信または無線通信できるように本体２０と接続される。
【００２４】
電源部２２は商用電源の交流を直流に変換する電源回路、および、バッテリの直流を直流に変換する電源回路の一方または両方を備える。人体加熱装置１０の電源は商用電源およびバッテリの一方または両方である。電源部２２は人体加熱装置１０の電源の電力を供給できるように制御部２３、記憶部２４、ヒータ温度センサ２６、皮膚温度センサ２７、および、ヒータ４０のそれぞれと電気的に接続される。一例では、制御部２３および記憶部２４は回路基板に実装される。カウンタ部２５は制御部２３に内蔵されるカウンタである。ヒータ４０、ヒータ温度センサ２６、および、皮膚温度センサ２７は回路基板に接続される。制御部２３は操作部２１、記憶部２４、ヒータ温度センサ２６、および、皮膚温度センサ２７のそれぞれと通信できるように電気的に接続される。制御部２３はヒータ４０、記憶部２４、ヒータ温度センサ２６、および、皮膚温度センサ２７に供給される電力を制御する。
【００２５】
ハウジング３０は人体Ｂの対象部位の加熱に適合するように構成される。一例では、ハウジング３０は対象部位である腹部または背中を覆うように構成される長方形の箱である。ハウジング３０内には種々の要素が配置される空間が形成される。ハウジング３０を構成する材料は任意に選択できる。好ましい例では、機械的性質、熱的性質、化学的性質、および、電気的性質の１つまたは複数に優れた軽量な材料が選択される。その一例はポリカーボネート樹脂である。ハウジング３０には第１主面３１および第２主面３２が形成される。第１主面３１は人体Ｂの対象部位に対向する面である。第２主面３２はハウジング３０内の空間に対して第１主面３１とは反対側の面である。第２主面３２には操作部２１が設けられる。
【００２６】
図示される例では、本体２０は複数のヒータ４０を備える。一例では、個々のヒータ４０の構成は同じである。ヒータ４０は電流をジュール熱に変換し、出力面４０Ａから熱を放熱する。一例では、ヒータ４０は平板である。出力面４０Ａは平面である。ヒータ４０は出力面４０Ａが第１主面３１に露出するようにハウジング３０に設けられる。ヒータ４０の種類は例えばＰＴＣ(Positive Temperature Coefficient)ヒータである。
【００２７】
複数のヒータ４０に関する種々の事項は加熱の目的に応じて決められる。種々の事項一例はヒータ４０の数、ヒータ４０の配置、および、複数のヒータ４０の出力面４０Ａの合計面積である。図示される例では、ヒータ４０の数は８である。ヒータ４０の配置は腹部または背中の主要な部分を加熱できるように決められる。各ヒータ４０は縦３列かつ横３列の格子における第２行かつ第２列を除いた各部分に配置される。第１主面３１には各ヒータ４０の出力面４０Ａに囲まれた領域３１Ａが形成される。好ましい例では、人体Ｂの対象部位の面積に占める各ヒータ４０の出力面４０Ａの合計面積の割合(以下「面積率」という)は第１所定値以下に設定される。対象部位の面積は例えば標準的な人体Ｂのモデルを元に決められる。第１所定値の設定方法の一例では、複数の被験者を対象に、面積率とヒータ４０による加熱にともない被験者が覚える感覚との関係を調査する試験を実施し、その結果を参照して第１所定値が設定される。
【００２８】
人体加熱装置１０の加熱の対象部位が複数である場合、例えば、複数の対象部位の面積のうちの最小の面積が面積率の設定に用いられる。出力面４０Ａの合計面積は人体Ｂの対象部位を同時に加熱する複数のヒータ４０の出力面４０Ａの面積の合計である。人体Ｂの対象部位に接触するヒータ４０の面積が広い条件では、複数のヒータ４０による対象部位の加熱にともないユーザが不快感を覚えるおそれがある。第１所定値は不快感の発生を緩和するための基準として、試験の結果等を参照して設定される。面積率が第１所定値以下に設定された条件の元では、複数のヒータ４０により対象部位が加熱される場合にユーザが不快感を覚えにくい。
【００２９】
ヒータ温度センサ２６はヒータ４０の温度(以下「ヒータ出力温度」という)を測定する。ヒータ出力温度は例えばヒータ４０の出力面４０Ａの温度である。ヒータ温度センサ２６によりヒータ出力温度が測定された場合、ヒータ出力温度を反映した信号が制御部２３に送信される。信号は例えばヒータ出力温度を反映した電圧である。ヒータ温度センサ２６の一例は測温抵抗体、リニア抵抗器、または、サーミスタを用いた温度センサである。ヒータ温度センサ２６は複数のヒータ４０のうちの少なくとも１つに設けられる。ヒータ温度センサ２６が複数設けられる場合、制御部２３は複数のヒータ温度センサ２６の測定結果を基にヒータ出力温度の代表値を求める。
【００３０】
皮膚温度センサ２７は人体Ｂの対象部位の温度(以下「対象部位温度」という)を測定する。皮膚温度センサ２７により対象部位温度が測定された場合、対象部位温度を反映した信号が制御部２３に送信される。信号は例えば対象部位温度を反映した電圧である。皮膚温度センサ２７は皮膚温度センサ２７の検知部２７Ａが領域３１Ａに露出するようにハウジング３０に設けられる。皮膚温度センサ２７の本体部２７Ｂはハウジング３０内に設けられる。皮膚温度センサ２７の一例はサーミスタ式体温計または赤外線式体温計である。皮膚温度センサ２７が複数設けられる場合、制御部２３は複数の皮膚温度センサ２７の測定結果を基に対象部位温度の代表値を求める。
【００３１】
ハウジング３０には各ヒータ４０から放熱された熱が皮膚温度センサ２７に伝達されることを妨げる断熱部材２８が設けられる。断熱部材２８は皮膚温度センサ２７とヒータ４０との間に設けられる。具体的には、断熱部材２８は皮膚温度センサ２７と複数のヒータ４０との間に設けられる。断熱部材２８は皮膚温度センサ２７の本体部２７Ｂの全体を覆う。断熱部材２８の一例はグラスウールである。
【００３２】
操作部２１は少なくとも電源スイッチ２１Ａを備える。電源スイッチ２１Ａはユーザの操作に応じてオンの状態またはオフの状態を取り得る。電源スイッチ２１Ａがオフ状態の場合、電源部２２の電力は制御部２３に供給されない。電源スイッチ２１Ａがオン状態の場合、制御部２３に電源部２２の電力が供給される。ヒータ４０、記憶部２４、ヒータ温度センサ２６、および、皮膚温度センサ２７には制御部２３の動作に応じて電源部２２の電力が供給される。
【００３３】
制御部２３は制御プログラムを実行する演算処理装置により構成される。演算処理装置は例えばＣＰＵ(Central Processing Unit)およびＭＰＵ(Micro Processing Unit)の一方または両方により構成される。制御部２３は制御情報１００に従って複数のヒータ４０のヒータ出力温度を制御する温度制御を実行する。温度制御は複数のヒータ４０に関する制御対象の単位毎に所定の制御方法を規定する１または複数の温度制御を含む。一例では、温度制御は第１温度制御を含む。第１温度制御では複数のヒータ４０の全部を制御対象の単位としてヒータ出力温度を制御する。
【００３４】
記憶部２４は例えば不揮発性メモリおよび揮発性メモリを備える。記憶部２４は制御情報１００を記憶する。制御情報１００はヒータ４０が動作する時間(以下「ヒータ動作時間」という)に対するヒータ出力温度を規定する。ヒータ動作時間は動作中のヒータ４０に関する時間であり、そのヒータ４０の動作が開始してから経過した時間である。制御情報１００の形態はヒータ動作時間とヒータ出力温度との関係を規定するマップ、または、ヒータ動作時間とヒータ出力温度との関係を規定する関数である。独立変数はヒータ動作時間である。変数はヒータ出力温度である。
【００３５】
制御情報１００は１または複数のヒータ４０に関する制御対象の単位毎にヒータ動作時間とヒータ出力温度との関係を規定する１または複数の制御情報を含む。一例では、制御情報１００は第１制御情報１１０を含む。図５は第１制御情報１１０に規定されるヒータ動作時間とヒータ出力温度との関係の一例である。
【００３６】
第１制御情報１１０は複数の個別制御情報を含む。個別制御情報はヒータ４０に加熱される前の対象部位温度(以下「初期の対象部位温度」という)毎にヒータ動作時間とヒータ出力温度との関係を規定する。具体的には、個別制御情報はヒータ動作時間の経過に対してヒータ出力温度が初期のヒータ出力温度から目標のヒータ出力温度ＴＭＰＴに向けて上昇するようにヒータ動作時間とヒータ出力温度との関係を規定する。好ましい例では、目標のヒータ出力温度ＴＭＰＴは人体加熱装置１０による加熱にともなうユーザの不快感が生じにくく、かつ、対象部位内に存在する脂肪細胞の不活性化が促進されるように決められる。
【００３７】
一例では、第１制御情報１１０は第１個別制御情報１１１、第２個別制御情報１１２、および、第３個別制御情報１１３を含む。各個別制御情報はヒータ４０により人体Ｂの対象部位が加熱される場合にユーザにおける不快感の発生が緩和されるように、試験の結果等を参照して決められる。第１個別制御情報１１１は第１温度範囲に属する初期の対象部位温度に適合するように規定される。第１温度範囲は相対的に低い対象部位温度の範囲である。相対的に低い対象部位温度の一例は３１度未満である。第２個別制御情報１１２は第２温度範囲に属する初期の対象部位温度に適合するように規定される。第２温度範囲は標準的な対象部位温度の範囲である。標準的な対象部位温度の一例は３１度〜３６度である。第３個別制御情報１１３は第３温度範囲に属する初期の対象部位温度に適合するように規定される。第３温度範囲は相対的に高い対象部位温度の範囲である。相対的に高い対象部位温度の一例は３６度以上である。
【００３８】
電源スイッチ２１Ａの状態がオフからオンに変化した場合、制御部２３の動作が開始する。制御部２３の動作は測定フェーズおよび加熱フェーズに区分される。測定フェーズは加熱フェーズの前に実行される。制御部２３は測定フェーズでは、皮膚温度センサ２７に電力を供給し、各ヒータ４０に電力を供給しない。皮膚温度センサ２７は初期の対象部位温度を測定し、初期の対象部位温度に応じた信号を制御部２３に送信する。制御部２３は皮膚温度センサ２７により測定された初期の対象部位温度に応じて第１制御情報１１０から個別制御情報を選択する。初期の対象部位温度が第１温度範囲に含まれる場合、第１個別制御情報１１１が選択される。初期の対象部位温度が第２温度範囲に含まれる場合、第２個別制御情報１１２が選択される。初期の対象部位温度が第３温度範囲に含まれる場合、第３個別制御情報１１３が選択される。個別制御情報の選択にともない測定フェーズが終了し、加熱フェーズが開始される。
【００３９】
制御部２３は加熱フェーズの開始にともないカウンタ部２５にカウントを開始させる。カウンタ部２５はヒータ動作時間をカウントする。カウントされるヒータ動作時間は加熱フェーズにおいてヒータ４０の動作が開始してから経過した時間である。制御部２３は加熱フェーズでは、選択した個別制御情報に従ってヒータ出力温度を制御する。具体的には、制御部２３はヒータ温度センサ２６により測定されるヒータ出力温度が個別制御情報に従って変化するようにヒータ４０に供給する電力を調節する。
【００４０】
個別制御情報では、ヒータ動作時間の経過にともない微分係数が小さくなる。各個別制御情報の初期のヒータ出力温度は目標のヒータ出力温度ＴＭＰＴよりも低い。初期のヒータ出力温度はヒータ動作時間が０の場合のヒータ出力温度である。第１個別制御情報１１１の初期のヒータ出力温度ＴＭＰ１は第２個別制御情報１１２の初期のヒータ出力温度ＴＭＰ２および第３個別制御情報１１３の初期のヒータ出力温度ＴＭＰ３よりも低い。第２個別制御情報１１２の初期のヒータ出力温度ＴＭＰ２は第３個別制御情報１１３の初期のヒータ出力温度ＴＭＰ３よりも低い。第１個別制御情報１１１の初期のヒータ出力温度ＴＭＰ１と第２個別制御情報１１２の初期のヒータ出力温度ＴＭＰ２との差の絶対値は第２個別制御情報１１２の初期のヒータ出力温度ＴＭＰ２と第３個別制御情報１１３の初期のヒータ出力温度ＴＭＰ３との差の絶対値よりも大きい。
【００４１】
第１個別制御情報１１１は例えば次のような特徴を有する。ヒータ動作時間が保持開始時間Ｔ１１未満の領域ではヒータ動作時間の経過にともないヒータ出力温度が増加する。微分係数はヒータ動作時間の増加にともない小さくなる。ヒータ動作時間が保持開始時間Ｔ１１以上の領域ではヒータ動作時間の経過に対してヒータ出力温度を目標のヒータ出力温度ＴＭＰＴに維持する。ヒータ動作時間が保持開始時間Ｔ１１よりも長い保持終了時間Ｔ１２に到達した場合、ヒータ４０の出力を停止する。保持開始時間Ｔ１１から保持終了時間Ｔ１２までの期間(以下「温度保持期間ＴＡ」という)はヒータ出力温度を目標のヒータ出力温度ＴＭＰＴに維持した状態で対象部位を加熱するために設定される。好ましい例では、温度保持期間ＴＡは対象部位内に存在する脂肪細胞の不活性化が促進されるように決められる。
【００４２】
第２個別制御情報１１２は例えば次のような特徴を有する。ヒータ動作時間が保持開始時間Ｔ２１未満の領域ではヒータ動作時間の経過にともないヒータ出力温度が増加する。保持開始時間Ｔ２１は第１個別制御情報１１１の保持開始時間Ｔ１１よりも短い。微分係数はヒータ動作時間の経過にともない小さくなる。ヒータ動作時間が保持開始時間Ｔ２１未満の領域においてヒータ動作時間が同じ条件の元では、第２個別制御情報１１２の微分係数は第１個別制御情報１１１の微分係数よりも小さい。ヒータ動作時間が保持開始時間Ｔ２１以上の領域ではヒータ動作時間の経過に対してヒータ出力温度を目標のヒータ出力温度ＴＭＰＴに維持する。ヒータ動作時間が保持終了時間Ｔ２２に到達した場合、ヒータ４０の出力を停止する。保持開始時間Ｔ２１から保持終了時間Ｔ２２までの期間(以下「温度保持期間ＴＢ」という)はヒータ出力温度を目標のヒータ出力温度ＴＭＰＴに維持した状態で対象部位を加熱するために設定される。好ましい例では、温度保持期間ＴＢは対象部位内に存在する脂肪細胞の不活性化が促進されるように決められる。
【００４３】
第３個別制御情報１１３は例えば次のような特徴を有する。ヒータ動作時間が保持開始時間Ｔ３１未満の領域ではヒータ動作時間の経過にともないヒータ出力温度が増加する。保持開始時間Ｔ３１は第２個別制御情報１１２の保持開始時間Ｔ２１よりも短い。微分係数はヒータ動作時間の経過にともない小さくなる。ヒータ動作時間が保持開始時間Ｔ３１未満の領域においてヒータ動作時間が同じ条件の元では、第３個別制御情報１１３の微分係数は第２個別制御情報１１２の微分係数よりも小さい。ヒータ動作時間が保持開始時間Ｔ３１以上の領域ではヒータ動作時間の経過に対してヒータ出力温度を目標のヒータ出力温度ＴＭＰＴに維持する。ヒータ動作時間が保持終了時間Ｔ３２に到達した場合、ヒータ４０の出力を停止する。保持開始時間Ｔ３１から保持終了時間Ｔ３２までの期間(以下「温度保持期間ＴＣ」という)はヒータ出力温度を目標のヒータ出力温度ＴＭＰＴに維持した状態で対象部位を加熱するために設定される。好ましい例では、温度保持期間ＴＣは対象部位内に存在する脂肪細胞の不活性化が促進されるように決められる。
【００４４】
温度保持期間ＴＡ、温度保持期間ＴＢ、および、温度保持期間ＴＣの関係は任意に設定できる。第１例では、各温度保持期間ＴＡ〜ＴＣの長さは同じである。第２例では、各温度保持期間ＴＡ〜ＴＣの長さは互いに異なる。第３例では、各温度保持期間ＴＡ〜ＴＣのうちの２つの期間の長さが同じである。第２例および第３例では、例えば初期の対象部位温度とヒータ４０による加熱にともなう脂肪細胞の不活性化の進行具合との関係を基に各温度保持期間ＴＡ〜ＴＣが設定される。
【００４５】
制御部２３は動作の開始にともない第１温度制御を実行する。第１温度制御を記述したプログラムは記憶部２４に予め記憶される。図６は第１温度制御に関するフローチャートを示す。ステップＳ１１では、制御部２３は皮膚温度センサ２７の測定結果を取得する。ステップＳ１２では、制御部２３は皮膚温度センサ２７により測定された初期の対象部位温度に対応する個別制御情報を制御情報１００から選択する。ステップＳ１３では、制御部２３はヒータ４０への電力の供給を開始する。ステップＳ１４では、制御部２３は選択した個別制御情報に従ってヒータ４０に供給する電流を調節する。ステップＳ１５では、制御部２３はヒータ動作時間が、選択した個別制御情報１１１、１１２、１１３に対応する保持終了時間Ｔ１２、Ｔ２２、Ｔ３２に到達したか否かを判定する。ステップＳ１５の判定結果が否定である場合、制御部２３はステップＳ１４の判定を再度実行する。ステップＳ１５の判定結果が肯定である場合、制御部２３はステップＳ１６を実行する。ステップＳ１６では、制御部２３はヒータ４０への電流の供給を停止する。
【００４６】
人体加熱装置１０によれば例えば次のような作用および効果が得られる。人体Ｂの対象部位の加熱するために複数のヒータ４０をどのように動作させるかが、初期の対象部位温度に応じて自動的に決定される。ユーザがヒータ出力温度を調節するための操作を行う必要がなく、ユーザの負担が軽くなる。初期の対象部位温度に応じて選択される制御情報１００に従ってヒータ出力温度が制御されるため、ユーザが不快感を覚えにくい。このように、人体加熱装置１０は簡易な操作で人体Ｂを適切に加熱できる。
【００４７】
(実施の形態２)
実施の形態２の人体加熱装置１０の構成は実施の形態１の人体加熱装置１０の構成と一部相違し、それ以外の点では実質的に同一である。主な相違点は、実施の形態２の人体加熱装置１０では複数のヒータ４０に対して設定される複数の制御対象毎に異なる制御情報１００を用いてヒータ出力温度を制御する点である。実施の形態２の複数のヒータ４０は複数のヒータ群に区分される。ヒータ群は温度制御における制御対象の単位である。実施の形態２の制御部２３はヒータ群を制御対象の単位として複数のヒータ４０のヒータ出力温度を制御する第２温度制御を実行する。
【００４８】
温度制御に関する実行の形態は任意に選択できる。第１例では、制御部２３は第１温度制御を実行せず、第２温度制御を実行する。第２例では、制御部２３は所定の選択条件を基に第１温度制御と第２温度制御とのいずれかを選択し、選択した温度制御を実行する。所定の選択条件の判断には、例えば温度制御の選択のために操作部２１に設けられる選択部(図示略)の操作が参照される。選択部は第１温度制御または第２温度制御を直接的または間接的に選択できるように構成される。間接的な選択では、例えば選択可能な複数のモードが選択部に用意され、選択されたモードに応じて第１温度制御または第２温度制御が制御部２３により選択される。複数のモードの内容は例えば対象部位の加熱の目的および対象部位の種類等に応じて設定される。
【００４９】
一例では、複数のヒータ４０は第１ヒータ群４１および第２ヒータ群４２に区分される。好ましい例では、個々のヒータ群の面積率が第２所定値以下となるようにヒータ群の数が決められる。第１ヒータ群４１の面積率および第２ヒータ群４２の面積率は第２所定値以下である。第２所定値は第１所定値よりも小さい。第２所定値はヒータ４０による加熱にともなう不快感の発生をさらに緩和するための基準として、試験等の結果を参照して設定される。
【００５０】
第１ヒータ群４１に含まれる各ヒータ４０の出力面４０Ａの合計面積と、第２ヒータ群４２に含まれる各ヒータ４０の出力面４０Ａの合計面積との関係は任意に設定できる。一例では、第１ヒータ群４１の合計面積と第２ヒータ群４２の合計面積との差が所定の面積差以下となるように第１ヒータ群４１および第２ヒータ群４２のそれぞれに分類されるヒータ４０が決められる。図示される例では所定の面積差は０である。
【００５１】
各ヒータ４０が第１ヒータ群４１および第２ヒータ群４２のいずれに属するかを示すグループ情報は記憶部２４に記憶される。制御部２３は記憶部２４から読み出したグループ情報を基に第１ヒータ群４１に含まれるヒータ４０および第２ヒータ群４２に含まれるヒータ４０を識別する。図３に示される一例では、第１行かつ第２列のヒータ４０、第２行かつ第１列のヒータ４０、第２行かつ第３列のヒータ４０、第３行かつ第２列のヒータ４０は第１ヒータ群４１に属する。第１行かつ第１列のヒータ４０、第１行かつ第３列のヒータ４０、第３行かつ第１列のヒータ４０、第３行かつ第３列のヒータ４０は第２ヒータ群４２に属する。
【００５２】
制御部２３は第２温度制御を実行することにより、第１ヒータ群４１のヒータ出力温度および第２ヒータ群４２のヒータ出力温度をヒータ動作時間の経過に対して交互に増減させる。具体的には、制御部２３は第１ヒータ群４１のヒータ出力温度が相対的に高く、第２ヒータ群４２のヒータ出力温度が相対的に低い第１加熱状態と、第１ヒータ群４１のヒータ出力温度が相対的に低く、第２ヒータ群４２のヒータ出力温度が相対的に高い第２加熱状態とがヒータ動作時間の経過に対して交互に生じるように各ヒータ群４１、４２のヒータ出力温度を制御する。各ヒータ群４１、４２のヒータ出力温度を低下させる方法として、各ヒータ群４１、４２に電力を供給しない方法、または、各ヒータ群４１、４２に供給する電力を低下させる方法が挙げられる。第２温度制御によれば、ヒータ４０による対象部位の加熱中にヒータ出力温度が高いヒータ４０とヒータ出力温度が低いヒータ４０とが存在する。このため全てのヒータ４０のヒータ出力温度が同じ場合とは異なり、人体加熱装置１０による加熱にともないユーザが感じる熱さが緩和される。
【００５３】
制御情報１００は第２温度制御において参照される第２制御情報１２０を含む。第２制御情報１２０はヒータ動作時間に対するヒータ出力温度を規定する。第２制御情報１２０は複数の個別制御情報を含む。個別制御情報はヒータ動作時間とヒータ出力温度との関係をヒータ群毎に規定する。具体的には、個別制御情報はヒータ動作時間の経過に対してヒータ出力温度が初期のヒータ出力温度から目標のヒータ出力温度ＴＭＰＴに向けて上昇するようにヒータ動作時間とヒータ出力温度との関係を規定する。個々の個別制御情報は初期の対象部位温度に応じて設定される。第２制御情報１２０の個別制御情報は個々のヒータ群に対応する複数のヒータ群制御情報を含む。１つの個別制御情報に含まれるヒータ群制御情報の数はヒータ群の数と同じである。ヒータ群制御情報はヒータ動作時間とヒータ出力温度との関係を規定する。１つの個別制御情報に含まれる各ヒータ群制御情報の内容は互いに異なる。１つの個別制御情報に含まれる各ヒータ群制御情報は、個々のヒータ群制御情報により規定されるヒータ動作時間とヒータ出力温度との関係を示す波形を合成した波形が、ヒータ動作時間の経過に対してヒータ出力温度が初期のヒータ出力温度から目標のヒータ出力温度に向けて上昇するように決められる。
【００５４】
一例では、第２制御情報１２０は第４個別制御情報１２１、第５個別制御情報１２２、および、第６個別制御情報１２３を含む。各個別制御情報はヒータ４０により人体Ｂの対象部位が加熱される場合にユーザにおける不快感の発生が緩和されるように決められる。第４個別制御情報１２１は第４温度範囲に属する初期の対象部位温度に適合するように規定される。第４温度範囲の一例は実施の形態１の第１温度範囲と同じである。第５個別制御情報１２２は第５温度範囲に属する初期の対象部位温度に適合するように規定される。第５温度範囲の一例は実施の形態１の第２温度範囲と同じである。第６個別制御情報１２３は第６温度範囲に属する初期の対象部位温度に適合するように規定される。第６温度範囲の一例は実施の形態１の第３温度範囲と同じである。他の例では、第４〜第６温度範囲はそれぞれ第１〜第３温度範囲とは異なる範囲に設定される。
【００５５】
図７は第４個別制御情報１２１の一例である。第４個別制御情報１２１は第１ヒータ群４１の温度制御に用いられる第１ヒータ群制御情報１２１Ａ、および、第２ヒータ群４２の温度制御に用いられる第２ヒータ群制御情報１２１Ｂを含む。第４個別制御情報１２１の第１ヒータ群制御情報１２１Ａおよび第２ヒータ群制御情報１２１Ｂは、それぞれの制御情報により示される波形を合成した波形が実施の形態１の第１個別制御情報１１１と一致するように決められる。
【００５６】
図８は第５個別制御情報１２２の一例である。第５個別制御情報１２２は第１ヒータ群４１の温度制御に用いられる第１ヒータ群制御情報１２２Ａ、および、第２ヒータ群４２の温度制御に用いられる第２ヒータ群制御情報１２２Ｂを含む。第５個別制御情報１２２の第１ヒータ群制御情報１２２Ａおよび第２ヒータ群制御情報１２２Ｂは、それぞれの制御情報により示される波形を合成した波形が実施の形態１の第２個別制御情報１１２と一致するように決められる。
【００５７】
図９は第６個別制御情報１２３の一例である。第６個別制御情報１２３は第１ヒータ群４１の温度制御に用いられる第１ヒータ群制御情報１２３Ａ、および、第２ヒータ群４２の温度制御に用いられる第２ヒータ群制御情報１２３Ｂを含む。第６個別制御情報１２３の第１ヒータ群制御情報１２３Ａおよび第２ヒータ群制御情報１２３Ｂは、それぞれの制御情報により示される波形を合成した波形が実施の形態１の第３個別制御情報１１３と一致するように決められる。
【００５８】
図１０は第２温度制御に関するフローチャートを示す。ステップＳ２１では、制御部２３は皮膚温度センサ２７の測定結果を取得する。ステップＳ２２では、制御部２３は皮膚温度センサ２７により測定された初期の対象部位温度に対応する個別制御情報を第２制御情報１２０から選択する。ステップＳ２３では、制御部２３はヒータ４０への電力の供給を開始する。ステップＳ２４では、制御部２３は選択した第２制御情報１２０に従ってヒータ４０に供給する電流を調節する。ステップＳ２５では、制御部２３はヒータ動作時間が、選択した個別制御情報１２１、１２２、１２３に対応する保持終了時間Ｔ１２、Ｔ２２、Ｔ３２に到達したか否かを判定する。ステップＳ２５の判定結果が否定である場合、制御部２３はステップＳ２４の判定を再度実行する。ステップＳ２５の判定結果が肯定である場合、制御部２３はステップＳ２６を実行する。ステップＳ２６では、制御部２３はヒータ４０への電流の供給を停止する。
【００５９】
なお、上記各実施の形態に関する説明は本発明に関する人体加熱装置が取り得る形態の例示であり、その形態を制限することを意図していない。本発明は各実施の形態以外に例えば各実施の形態の変形例、および、相互に矛盾しない少なくとも２つの変形例が組み合わせられた形態を取り得る。
【産業上の利用可能性】
【００６０】
本発明に関する人体加熱装置は例えば人体の美容、治療、および、健康増進等のために利用できる。
【符号の説明】
【００６１】
１０    ：人体加熱装置
２０    ：本体
２１    ：操作部
２１Ａ  ：電源スイッチ
２２    ：電源部
２３    ：制御部
２４    ：記憶部
２５    ：カウンタ部
２６    ：ヒータ温度センサ
２７    ：皮膚温度センサ
２７Ａ  ：検出部
２７Ｂ  ：本体部
２８    ：断熱部材
３０    ：ハウジング
３１    ：第１主面
３１Ａ  ：領域
３２    ：第２主面
４０    ：ヒータ
４０Ａ  ：出力面
４１    ：第１ヒータ群
４２    ：第２ヒータ群
５０    ：ベルト
１００  ：制御情報
１１０  ：第1制御情報
１１１  ：第１個別制御情報
１１２  ：第２個別制御情報
１１３  ：第３個別制御情報
１２０  ：第２制御情報
１２１  ：第４個別制御情報
１２１Ａ：第１ヒータ群制御情報
１２１Ｂ：第２ヒータ群制御情報
１２２  ：第５個別制御情報
１２２Ａ：第１ヒータ群制御情報
１２２Ｂ：第２ヒータ群制御情報
１２３  ：第６個別制御情報
１２３Ａ：第１ヒータ群制御情報
１２３Ｂ：第２ヒータ群制御情報
ＴＭＰ１：初期のヒータ出力温度
ＴＭＰ２：初期のヒータ出力温度
ＴＭＰ３：初期のヒータ出力温度
ＴＭＰＴ：目標のヒータ出力温度
Ｔ１１  ：保持開始時間
Ｔ１２  ：保持終了時間
Ｔ２１  ：保持開始時間
Ｔ２２  ：保持終了時間
Ｔ３１  ：保持開始時間
Ｔ３２  ：保持終了時間
ＴＡ    ：  温度保持期間
ＴＢ    ：  温度保持期間
ＴＣ    ：  温度保持期間
Ｂ      ：人体
【図１】
2020014698.tif 000003
【図２】
2020014698.tif 000004
【図３】
2020014698.tif 000005
【図４】
2020014698.tif 000006
【図５】
2020014698.tif 000007
【図６】
2020014698.tif 000008
【図７】
2020014698.tif 000009
【図８】
2020014698.tif 000010
【図９】
2020014698.tif 000011
【図１０】
2020014698.tif 000012